【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
物理ランダムアクセスチャネル（ＰＲＡＣＨ）構成のセットを示すシグナリングを受信することと、ここにおいて、前記セットの各ＰＲＡＣＨ構成が、基地局によってサポートされるカバレージ拡張（ＣＥ）レベルに対応する、
カバレージ限定に少なくとも部分的に基づいて前記ＣＥレベルのうちの１つを選択することと、
前記ＰＲＡＣＨ構成、選択されたプリアンブルフォーマット、前の送信カウント、またはそれらの任意の組合せに少なくとも部分的に基づいて前記ランダムアクセスメッセージのターゲット送信電力を決定することと、
前記選択されたＣＥレベルに対応するＰＲＡＣＨ構成に従ってランダムアクセスメッセージを送信することと
を備える、ワイヤレス通信の方法。
【請求項２】
前記基地局から１つまたは複数のカバレージ限定しきい値を示すシグナリングを受信することと、ここにおいて、前記カバレージ限定が、リンクバジェット、経路損失しきい値、基準信号受信電力（ＲＳＲＰ）しきい値、または初期ＰＲＡＣＨターゲット電力、あるいはそれらの任意の組合せのうちの少なくとも１つを備える、
前記受信されたカバレージ限定しきい値に少なくとも部分的に基づいて前記カバレージ限定を決定することと
をさらに備える、請求項１に記載の方法。
【請求項３】
前記カバレージ限定に少なくとも部分的に基づいて前記ランダムアクセスメッセージのプリアンブルフォーマットを選択すること
をさらに備える、請求項１に記載の方法。
【請求項４】
前記基地局からの明示的シグナリング、ダウンリンク信号測定値とＤＬ信号しきい値との間の比較、または前記選択されたカバレージ拡張レベル、あるいはそれらの任意の組合せに少なくとも部分的に基づいてダウンリンク（ＤＬ）ＣＥレベルを推定すること、ここにおいて、前記選択されたプリアンブルフォーマットが、前記推定されたＤＬ  ＣＥレベルを示す、
をさらに備える、請求項３に記載の方法。
【請求項５】
前記ＤＬ信号しきい値が、基準ＤＬ送信フォーマットに少なくとも部分的に基づいて決定される、請求項４に記載の方法。
【請求項６】
推定されたダウンリンク（ＤＬ）ＣＥレベルに少なくとも部分的に基づいてランダムアクセス応答を受信するための１つまたは複数のリソースを決定することと、
前記ランダムアクセス応答について前記１つまたは複数のリソースを監視することと
をさらに備える、請求項１に記載の方法。
【請求項７】
不成功のランダムアクセス送信に少なくとも部分的に基づいて後続のＣＥレベルを選択することと、
前記後続のＣＥレベルを選択することに少なくとも部分的に基づいて、推定されたダウンリンク（ＤＬ）ＣＥレベルを再推定することと
をさらに備える、請求項１に記載の方法。
【請求項８】
ランダムアクセス応答を受信することと、
推定されたダウンリンク（ＤＬ）ＣＥレベルに少なくとも部分的に基づいて前記ランダムアクセス応答を復号することと
をさらに備え、
ここにおいて、前記ランダムアクセス応答を復号することが、
前記推定されたＤＬ  ＣＥレベルに少なくとも部分的に基づいて前記ランダムアクセス応答の制御部分を復号することと、
前記ランダムアクセス応答の前記制御部分に少なくとも部分的に基づいて、示されたＣＥレベルを識別することと、
前記示されたＣＥレベルに少なくとも部分的に基づいて前記ランダムアクセス応答のデータ部分を復号することと
を備える、請求項１に記載の方法。
【請求項９】
前記ＣＥレベルのうちの１つを前記選択することが、前のＰＲＡＣＨ送信のカウンタに少なくとも部分的に基づく、請求項１に記載の方法。
【請求項１０】
前記基地局によってサポートされる前記１つまたは複数のＣＥレベルのうちの候補ＣＥレベルを選択することと、
前記ランダムアクセスメッセージの候補送信電力を決定することと、
前記候補送信電力が送信電力しきい値を超えると決定することと
をさらに備え、
ここにおいて、前記ＣＥレベルのうちの１つの前記選択は、前記候補送信電力が前記送信電力しきい値を超えると決定することに少なくとも部分的に基づき、ここにおいて、前記選択されたＣＥレベルが前記候補ＣＥレベルよりも高い、
請求項１に記載の方法。
【請求項１１】
ユーザ機器（ＵＥ）タイプに少なくとも部分的に基づいてデフォルトＰＲＡＣＨ構成を識別すること、ここにおいて、前記ランダムアクセスメッセージが前記デフォルトＰＲＡＣＨ構成に従って送信され、前記ＵＥタイプが、ＵＥカテゴリーまたは前に構成されたＵＥのうちの少なくとも１つ、あるいは両方を備える、
をさらに備える、請求項１に記載の方法。
【請求項１２】
推定されたダウンリンク（ＤＬ）カバレージ拡張（ＣＥ）レベルとランダムアクセスグループとの間のマッピングを示すシグナリングを受信することと、
前記マッピングに少なくとも部分的に基づいて前記ランダムアクセスグループを選択することと、
前記選択されたランダムアクセスグループに少なくとも部分的に基づいて前記ランダムアクセスメッセージを送信することと
をさらに備える、請求項１に記載の方法。
【請求項１３】
物理ランダムアクセスチャネル（ＰＲＡＣＨ）構成のセットを示すシグナリングを送信することと、ここにおいて、前記セットの各ＰＲＡＣＨ構成が、サポートされるカバレージ拡張（ＣＥ）レベルに対応する、
ＰＲＡＣＨ構成の前記セットのＰＲＡＣＨ構成に従ってランダムアクセスメッセージを受信することと、ここにおいて、前記ＰＲＡＣＨ構成が、カバレージ限定に少なくとも部分的に基づく前記ＣＥレベルのうちの１つの選択に基づき、前記ランダムアクセスメッセージのターゲット送信電力が、前記ＰＲＡＣＨ構成、選択されたプリアンブルフォーマット、前の送信カウント、またはそれらの任意の組合せに少なくとも部分的に基づいて決定される、
を備える、ワイヤレス通信の方法。
【請求項１４】
請求項１〜請求項１２または請求項１３のうちのいずれか一項の方法のすべてのステップを実行するための手段を備える、装置。
【請求項１５】
請求項１〜請求項１２または請求項１３のうちの一項の方法のすべてのステップを実装するためにコンピュータ実行可能なプログラム命令を備える、コンピュータプログラム。
【手続補正２】
【補正対象書類名】明細書
【補正対象項目名】０２１６
【補正方法】変更
【補正の内容】
【０２１６】
[0225]本明細書の説明は、当業者が本開示を作成または使用することを可能にするために与えられる。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示された原理および新規の特徴に合致する最も広い範囲を与えられるべきである。
以下に本願の出願当初の特許請求の範囲に記載された発明を付記する。
[Ｃ１]  物理ランダムアクセスチャネル（ＰＲＡＣＨ）構成のセットを示すシグナリングを受信することと、ここにおいて、前記セットの各ＰＲＡＣＨ構成が、基地局によってサポートされるカバレージ拡張（ＣＥ）レベルに対応する、
カバレージ限定に少なくとも部分的に基づいて前記ＣＥレベルのうちの１つを選択することと、
前記選択されたＣＥレベルに対応するＰＲＡＣＨ構成に従ってランダムアクセスメッセージを送信することと
を備える、ワイヤレス通信の方法。
[Ｃ２]  前記基地局から１つまたは複数のカバレージ限定しきい値を示すシグナリングを受信することと、
前記受信されたカバレージ限定しきい値に少なくとも部分的に基づいて前記カバレージ限定を決定することと
をさらに備える、Ｃ１に記載の方法。
[Ｃ３]  前記カバレージ限定が、リンクバジェット、経路損失しきい値、基準信号受信電力（ＲＳＲＰ）しきい値、または初期ＰＲＡＣＨターゲット電力、あるいはそれらの任意の組合せのうちの少なくとも１つを備える、Ｃ２に記載の方法。
[Ｃ４]  前記カバレージ限定に少なくとも部分的に基づいて前記ランダムアクセスメッセージのプリアンブルフォーマットを選択すること
をさらに備える、Ｃ１に記載の方法。
[Ｃ５]  前記基地局からの明示的シグナリング、ダウンリンク信号測定値とＤＬ信号しきい値との間の比較、または前記選択されたカバレージ拡張レベル、あるいはそれらの任意の組合せに少なくとも部分的に基づいてダウンリンク（ＤＬ）ＣＥレベルを推定すること、ここにおいて、前記選択されたプリアンブルフォーマットが、前記推定されたＤＬ  ＣＥレベルを示す、
をさらに備える、Ｃ４に記載の方法。
[Ｃ６]  前記ＤＬ信号しきい値が、基準ＤＬ送信フォーマットに少なくとも部分的に基づいて決定される、Ｃ５に記載の方法。
[Ｃ７]  推定されたダウンリンク（ＤＬ）ＣＥレベルに少なくとも部分的に基づいてランダムアクセス応答を受信するための１つまたは複数のリソースを決定することと、
前記ランダムアクセス応答について前記１つまたは複数のリソースを監視することとをさらに備える、Ｃ１に記載の方法。
[Ｃ８]  不成功のランダムアクセス送信に少なくとも部分的に基づいて後続のＣＥレベルを選択することと、
前記後続のＣＥレベルを選択することに少なくとも部分的に基づいて、推定されたダウンリンク（ＤＬ）ＣＥレベルを再推定することと
をさらに備える、Ｃ１に記載の方法。
[Ｃ９]  ランダムアクセス応答を受信することと、
推定されたダウンリンク（ＤＬ）ＣＥレベルに少なくとも部分的に基づいて前記ランダムアクセス応答を復号することと
をさらに備える、Ｃ１に記載の方法。
[Ｃ１０]  前記ランダムアクセス応答を復号することが、
前記推定されたＤＬ  ＣＥレベルに少なくとも部分的に基づいて前記ランダムアクセス応答の制御部分を復号することと、
前記ランダムアクセス応答の前記制御部分に少なくとも部分的に基づいて、示されたＣＥレベルを識別することと、
前記示されたＣＥレベルに少なくとも部分的に基づいて前記ランダムアクセス応答のデータ部分を復号することと
を備える、Ｃ９に記載の方法。
[Ｃ１１]  前記ＰＲＡＣＨ構成に少なくとも部分的に基づいて前記ランダムアクセスメッセージを送信するためのリソースを選択することと、
前記選択されたリソースに少なくとも部分的に基づいてランダムアクセス応答を受信するための１つまたは複数のあらかじめ定義された時間間隔を監視することと
をさらに備える、Ｃ１に記載の方法。
[Ｃ１２]  監視するための前記１つまたは複数のあらかじめ定義された時間間隔が、前記ランダムアクセスメッセージの前記選択されたプリアンブルフォーマットに少なくとも部分的に基づく、Ｃ１１に記載の方法。
[Ｃ１３]  １つまたは複数のさらなる応答メッセージについて監視し続けるためのランダムアクセス応答中の指示を受信すること
をさらに備える、Ｃ１１に記載の方法。
[Ｃ１４]  前記ＰＲＡＣＨ構成に少なくとも部分的に基づいて前記ランダムアクセスメッセージを送信するためのリソースを選択することと、
前記選択されたリソースに少なくとも部分的に基づいてランダムアクセス応答制御メッセージを受信するための１つまたは複数のあらかじめ定義された時間間隔を監視することと、
前記ランダムアクセス応答制御メッセージに少なくとも部分的に基づいてランダムアクセス応答を受信することと
をさらに備える、Ｃ１に記載の方法。
[Ｃ１５]  監視するための前記１つまたは複数のあらかじめ定義された時間間隔が、前記ランダムアクセスメッセージの前記選択されたプリアンブルフォーマットに少なくとも部分的に基づく、Ｃ１４に記載の方法。
[Ｃ１６]  監視するための前記１つまたは複数のあらかじめ定義された時間間隔が、前記ランダムアクセスメッセージの前記選択されたプリアンブルフォーマットのＣＥレベルに少なくとも部分的に基づく、Ｃ１４に記載の方法。
[Ｃ１７]  前記ＰＲＡＣＨ構成、選択されたプリアンブルフォーマット、前の送信カウント、またはそれらの任意の組合せに少なくとも部分的に基づいて前記ランダムアクセスメッセージのターゲット送信電力を決定すること
をさらに備える、Ｃ１に記載の方法。
[Ｃ１８]  前記ＣＥレベルのうちの１つを前記選択することが、前のＰＲＡＣＨ送信のカウンタに少なくとも部分的に基づく、Ｃ１に記載の方法。
[Ｃ１９]  前記基地局によってサポートされる前記１つまたは複数のＣＥレベルのうちの候補ＣＥレベルを選択することと、
前記ランダムアクセスメッセージの候補送信電力を決定することと、
前記候補送信電力が送信電力しきい値を超えると決定することと
をさらに備え、
ここにおいて、前記ＣＥレベルのうちの１つの前記選択は、前記候補送信電力が前記送信電力しきい値を超えると決定することに少なくとも部分的に基づき、ここにおいて、前記選択されたＣＥレベルが前記候補ＣＥレベルよりも高い、
Ｃ１に記載の方法。
[Ｃ２０]  前記基地局からＣＥレベルを示すシグナリングを受信すること、ここにおいて、前記選択されたＣＥレベルが、前記基地局によって示された前記ＣＥレベルに対応する、
をさらに備える、Ｃ１に記載の方法。
[Ｃ２１]  前記基地局からの前記シグナリングが、ＰＲＡＣＨマスクインデックスまたは周波数オフセット、あるいは両方を備える、Ｃ２０に記載の方法。
[Ｃ２２]  ＰＲＡＣＨ構成の前記セットが、周波数分割複信（ＦＤＤ）動作のためのＰＲＡＣＨ構成のセットまたは時分割複信（ＴＤＤ）動作のためのＰＲＡＣＨ構成のセット、あるいは両方を備える、Ｃ１に記載の方法。
[Ｃ２３]  ＰＲＡＣＨ構成の前記セットが、各サポートされるＣＥレベルの決定性値のセットを備える、Ｃ１に記載の方法。
[Ｃ２４]  ＰＲＡＣＨ構成の前記セットが、各サポートされるＣＥレベルに対応するＰＲＡＣＨ周波数オフセットを備える、Ｃ１に記載の方法。
[Ｃ２５]  ユーザ機器（ＵＥ）タイプに少なくとも部分的に基づいてデフォルトＰＲＡＣＨ構成を識別すること、ここにおいて、前記ランダムアクセスメッセージが前記デフォルトＰＲＡＣＨ構成に従って送信される、
をさらに備える、Ｃ１に記載の方法。
[Ｃ２６]  前記ＵＥタイプが、ＵＥカテゴリーまたは前に構成されたＵＥのうちの少なくとも１つ、あるいは両方を備える、Ｃ２５に記載の方法。
[Ｃ２７]  ＰＲＡＣＨ構成の前記セットが、複数のリソースブロックにわたって、周波数分割多重化（ＦＤＭ）または時分割多重化（ＴＤＭ）、あるいは両方である指定されたリソースを備える、Ｃ１に記載の方法。
[Ｃ２８]  前記受信されたシグナリングが、開始サブフレームインデックス、ＰＲＡＣＨ周期性、ＰＲＡＣＨオフセット、持続時間、または周波数オフセットのうちの少なくとも１つ、あるいはそれらの任意の組合せを備える、Ｃ２７に記載の方法。
[Ｃ２９]  前記ランダムアクセスメッセージを送信するときにランダムアクセス送信カウンタを開始することと、
不成功のランダムアクセス送信に少なくとも部分的に基づいて後続のＣＥレベルを選択することと、
前記後続のＣＥレベルを選択することに少なくとも部分的に基づいて前記ランダムアクセス送信カウンタをリセットすることと
をさらに備える、Ｃ１に記載の方法。
[Ｃ３０]  不成功のランダムアクセス送信のしきい値数に少なくとも部分的に基づいて無線リンク障害を宣言すること、ここにおいて、ＰＲＡＣＨ構成の前記セットが前記しきい値を備える、
をさらに備える、Ｃ１に記載の方法。
[Ｃ３１]  前記ランダムアクセスメッセージ中に示された構成に少なくとも部分的に基づいて接続要求メッセージを送信すること
をさらに備える、Ｃ１に記載の方法。
[Ｃ３２]  受信されたランダムアクセス応答中に示された構成に少なくとも部分的に基づいて接続メッセージを送信すること、ここにおいて、前記接続メッセージが、接続要求メッセージと、接続再確立メッセージと、ハンドオーバ完了メッセージとのうちの少なくとも１つを備える、
をさらに備える、Ｃ１に記載の方法。
[Ｃ３３]  競合解消メッセージを受信すること、再送信試行のしきい値数を超えること、または競合解消タイマーの満了、あるいはそれらの任意の組合せ
のうちの少なくとも１つまで、前記接続メッセージを再送信すること
をさらに備える、Ｃ３２に記載の方法。
[Ｃ３４]  受信されたランダムアクセス応答中に示された構成に少なくとも部分的に基づいて前記接続メッセージの再送信指示について制御チャネルを監視すること
をさらに備える、Ｃ３２に記載の方法。
[Ｃ３５]  前記競合解消タイマーが、前記選択されたＣＥレベルに少なくとも部分的に基づいて構成された、Ｃ３３に記載の方法。
[Ｃ３６]  推定されたダウンリンク（ＤＬ）カバレージ拡張（ＣＥ）レベルとランダムアクセスグループとの間のマッピングを示すシグナリングを受信することと、
前記マッピングに少なくとも部分的に基づいて前記ランダムアクセスグループを選択することと、
前記選択されたランダムアクセスグループに少なくとも部分的に基づいてランダムアクセスメッセージを送信することと
を備える、ワイヤレス通信の方法。
[Ｃ３７]  前記選択されたランダムアクセスグループに少なくとも部分的に基づいてランダムアクセス応答のための周波数リソースを決定すること
をさらに備える、Ｃ３６に記載の方法。
[Ｃ３８]  前記ランダムアクセスグループが、前記ランダムアクセス応答に関連する制御情報を示し、前記決定された周波数リソースが制御メッセージを備える、Ｃ３７に記載の方法。
[Ｃ３９]  前記ランダムアクセスグループが、前記ランダムアクセス応答に関連する制御情報およびデータ情報を示し、前記決定された周波数リソースが、制御メッセージまたはデータメッセージ、あるいは両方を備える、Ｃ３７に記載の方法。
[Ｃ４０]  物理ランダムアクセスチャネル（ＰＲＡＣＨ）構成のセットを示すシグナリングを送信することと、ここにおいて、前記セットの各ＰＲＡＣＨ構成が、サポートされるカバレージ拡張（ＣＥ）レベルに対応する、
ＰＲＡＣＨ構成の前記セットのＰＲＡＣＨ構成に従ってランダムアクセスメッセージを受信することと
を備える、ワイヤレス通信の方法。
[Ｃ４１]  １つまたは複数のカバレージ限定しきい値を示すシグナリングを送信すること、ここにおいて、前記ランダムアクセスメッセージが、前記シグナリングに少なくとも部分的に基づいて受信される、
をさらに備える、Ｃ４０に記載の方法。
[Ｃ４２]  前記ランダムアクセスメッセージに少なくとも部分的に基づいてランダムアクセス応答を送信すること
をさらに備える、Ｃ４０に記載の方法。
[Ｃ４３]  １つまたは複数のさらなる応答メッセージについて監視し続けるためのランダムアクセス応答中の指示を送信すること
をさらに備える、Ｃ４０に記載の方法。
[Ｃ４４]  前記ＰＲＡＣＨ構成に少なくとも部分的に基づいてランダムアクセス応答を送信するためのリソースを選択することと、
前記選択されたリソースを使用して前記ランダムアクセス応答を送信することと
をさらに備える、Ｃ４０に記載の方法。
[Ｃ４５]  ＣＥレベルを示すシグナリングを送信すること、ここにおいて、前記ランダムアクセスメッセージが、前記ＣＥレベルに少なくとも部分的に基づいて受信される、
をさらに備える、Ｃ４０に記載の方法。
[Ｃ４６]  ダウンリンク（ＤＬ）カバレージ拡張（ＣＥ）レベルとランダムアクセスグループとの間のマッピングを示すシグナリングを送信することと、
前記ランダムアクセスグループに少なくとも部分的に基づいてランダムアクセスメッセージを受信することと、
前記受信されたランダムアクセスメッセージの前記ランダムアクセスグループに少なくとも部分的に基づいてＤＬ  ＣＥレベルを決定することと
を備える、ワイヤレス通信の方法。
[Ｃ４７]  物理ランダムアクセスチャネル（ＰＲＡＣＨ）構成のセットを示すシグナリングを受信するための手段と、ここにおいて、前記セットの各ＰＲＡＣＨ構成が、基地局によってサポートされるカバレージ拡張レベルに対応する、
カバレージ限定に少なくとも部分的に基づいて前記カバレージ拡張（ＣＥ）レベルのうちの１つを選択するための手段と、
前記選択されたＣＥレベルに対応するＰＲＡＣＨ構成に従ってランダムアクセスメッセージを送信するための手段と
を備える、ワイヤレス通信のための装置。
[Ｃ４８]  前記基地局から１つまたは複数のカバレージ限定しきい値を示すシグナリングを受信するための手段と、
受信されたカバレージ限定しきい値に少なくとも部分的に基づいて前記カバレージ限定を決定するための手段と
をさらに備える、Ｃ４７に記載の装置。
[Ｃ４９]  前記カバレージ限定が、リンクバジェット、経路損失しきい値、基準信号受信電力（ＲＳＲＰ）しきい値、または初期ＰＲＡＣＨターゲット電力、あるいはそれらの任意の組合せのうちの少なくとも１つを備える、Ｃ４８に記載の装置。
[Ｃ５０]  前記カバレージ限定に少なくとも部分的に基づいて前記ランダムアクセスメッセージのプリアンブルフォーマットを選択するための手段
をさらに備える、Ｃ４７に記載の装置。
[Ｃ５１]  前記ＣＥレベルのうちの１つを選択するための前記手段が、選択されたプリアンブルフォーマットに少なくとも部分的に基づいて動作可能である、Ｃ５０に記載の装置。
[Ｃ５２]  前記基地局からの明示的シグナリング、ダウンリンク信号測定値とＤＬ信号しきい値との間の比較、前記選択されたカバレージ拡張レベル、またはそれらの任意の組合せに少なくとも部分的に基づいてダウンリンク（ＤＬ）ＣＥレベルを推定するための手段、ここにおいて、選択されたプリアンブルフォーマットが、推定されたＤＬ  ＣＥレベルを示す、をさらに備える、Ｃ５０に記載の装置。
[Ｃ５３]  推定されたＤＬ  ＣＥレベルに少なくとも部分的に基づいてランダムアクセス応答を受信するための１つまたは複数のリソースを決定するための手段と、
ランダムアクセス応答について前記１つまたは複数のリソースを監視するための手段とをさらに備える、Ｃ５２に記載の装置。
[Ｃ５４]  不成功のランダムアクセス送信に少なくとも部分的に基づいて後続のＣＥレベルを選択するための手段と、
前記後続のＣＥレベルを選択することに少なくとも部分的に基づいて前記ＤＬ  ＣＥレベルを再推定するための手段と
をさらに備える、Ｃ５２に記載の装置。
[Ｃ５５]  ランダムアクセス応答を受信するための手段と、
推定されたダウンリンク（ＤＬ）ＣＥレベルに少なくとも部分的に基づいて前記ランダムアクセス応答を復号するための手段と
をさらに備える、Ｃ５２に記載の装置。
[Ｃ５６]  前記ＰＲＡＣＨ構成に少なくとも部分的に基づいて前記ランダムアクセスメッセージを送信するためのリソースを選択するための手段と、
選択されたリソースに少なくとも部分的に基づいてランダムアクセス応答を受信するための１つまたは複数のあらかじめ定義された時間間隔を監視するための手段と
をさらに備える、Ｃ４７に記載の装置。
[Ｃ５７]  前記ＰＲＡＣＨ構成に少なくとも部分的に基づいて前記ランダムアクセスメッセージを送信するためのリソースを選択するための手段と、
選択されたリソースに少なくとも部分的に基づいてランダムアクセス応答制御メッセージを受信するための１つまたは複数のあらかじめ定義された時間間隔を監視するための手段と、
ランダムアクセス応答制御メッセージに少なくとも部分的に基づいてランダムアクセス応答を受信するための手段と
をさらに備える、Ｃ４７に記載の装置。
[Ｃ５８]  前記ＰＲＡＣＨ構成、選択されたプリアンブルフォーマット、前の送信カウント、またはそれらの任意の組合せに少なくとも部分的に基づいて前記ランダムアクセスメッセージのターゲット送信電力を決定するための手段
をさらに備える、Ｃ４７に記載の装置。
[Ｃ５９]  前記ＣＥレベルのうちの１つを選択するための前記手段が、前のＰＲＡＣＨ送信のカウンタに少なくとも部分的に基づいて動作可能である、Ｃ４７に記載の装置。
[Ｃ６０]  前記基地局によってサポートされる前記１つまたは複数のＣＥレベルのうちの候補ＣＥレベルを選択するための手段と、
前記ランダムアクセスメッセージの候補送信電力を決定するための手段と、
前記候補送信電力が送信電力しきい値を超えると決定するための手段と
をさらに備え、
ここにおいて、前記ＣＥレベルのうちの１つを選択するための前記手段は、前記候補送信電力が前記送信電力しきい値を超えると決定することに少なくとも部分的に基づいて動作可能であり、ここにおいて、前記選択されたＣＥレベルが前記候補ＣＥレベルよりも高い、
Ｃ４７に記載の装置。
[Ｃ６１]  前記基地局からＣＥレベルを示すシグナリングを受信するための手段、ここにおいて、選択されたＣＥレベルが、前記基地局によって示された前記ＣＥレベルに対応する、
をさらに備える、Ｃ４７に記載の装置。
[Ｃ６２]  前記基地局によって示された前記ＣＥレベルが、ＰＲＡＣＨマスクインデックスまたは周波数オフセット、あるいは両方を備える、Ｃ６１に記載の装置。
[Ｃ６３]  ＰＲＡＣＨ構成の前記セットが、周波数分割複信（ＦＤＤ）動作のためのＰＲＡＣＨ構成のセットまたは時分割複信（ＴＤＤ）動作のためのＰＲＡＣＨ構成のセット、あるいは両方を備える、Ｃ４７に記載の装置。
[Ｃ６４]  ＰＲＡＣＨ構成の前記セットが、各サポートされるＣＥレベルの決定性値のセットを備える、Ｃ４７に記載の装置。
[Ｃ６５]  ＰＲＡＣＨ構成の前記セットが、各サポートされるＣＥレベルに対応するＰＲＡＣＨ周波数オフセットを備える、Ｃ４７に記載の装置。
[Ｃ６６]  ユーザ機器（ＵＥ）タイプに少なくとも部分的に基づいてデフォルトＰＲＡＣＨ構成を識別するための手段、ここにおいて、前記ランダムアクセスメッセージが前記デフォルトＰＲＡＣＨ構成に従って送信される、
をさらに備える、Ｃ４７に記載の装置。
[Ｃ６７]  前記ＵＥタイプが、ＵＥカテゴリーまたは前に構成されたＵＥのうちの少なくとも１つ、あるいは両方を備える、Ｃ６６に記載の装置。
[Ｃ６８]  ＰＲＡＣＨ構成の前記セットが、複数のリソースブロックにわたって、周波数分割多重化（ＦＤＭ）または時分割多重化（ＴＤＭ）、あるいは両方である指定されたリソースを備える、Ｃ４７に記載の装置。
[Ｃ６９]  受信されたシグナリングが、開始サブフレームインデックス、ＰＲＡＣＨ周期性、ＰＲＡＣＨオフセット、持続時間、または周波数オフセットのうちの少なくとも１つ、あるいはそれらの任意の組合せを備える、Ｃ６８に記載の装置。
[Ｃ７０]  前記ランダムアクセスメッセージを送信するときにランダムアクセス送信カウンタを開始するための手段と、
不成功のランダムアクセス送信に少なくとも部分的に基づいて後続のＣＥレベルを選択するための手段と、
前記後続のＣＥレベルを選択することに少なくとも部分的に基づいて前記ランダムアクセス送信カウンタをリセットするための手段と
をさらに備える、Ｃ４７に記載の装置。
[Ｃ７１]  不成功のランダムアクセス送信のしきい値数に少なくとも部分的に基づいて無線リンク障害を宣言するための手段、ここにおいて、ＰＲＡＣＨ構成の前記セットが前記しきい値を備える、
をさらに備える、Ｃ４７に記載の装置。
[Ｃ７２]  前記ランダムアクセスメッセージ中に示された構成に少なくとも部分的に基づいて接続要求メッセージを送信するための手段
をさらに備える、Ｃ４７に記載の装置。
[Ｃ７３]  受信されたランダムアクセス応答中に示された構成に少なくとも部分的に基づいて接続メッセージを送信するための手段、ここにおいて、前記接続メッセージが、接続要求メッセージと、接続再確立メッセージと、ハンドオーバ完了メッセージとのうちの少なくとも１つを備える、
をさらに備える、Ｃ４７に記載の装置。
[Ｃ７４]  競合解消メッセージが受信される、再送信試行のしきい値数が超えられる、または競合解消タイマーが満了する、あるいはそれらの任意の組合せ
のうちの少なくとも１つまで動作可能である前記接続メッセージを再送信するための手段
をさらに備える、Ｃ７３に記載の装置。
[Ｃ７５]  前記競合解消タイマーが、前記選択されたＣＥレベルに少なくとも部分的に基づいて構成された、Ｃ７４に記載の装置。
[Ｃ７６]  推定されたダウンリンク（ＤＬ）カバレージ拡張（ＣＥ）レベルとランダムアクセスグループとの間のマッピングを示すシグナリングを受信するための手段と、
前記マッピングに少なくとも部分的に基づいて前記ランダムアクセスグループを選択するための手段と、
前記選択されたランダムアクセスグループに少なくとも部分的に基づいてランダムアクセスメッセージを送信するための手段と
を備える、ワイヤレス通信のための装置。
[Ｃ７７]  前記選択されたランダムアクセスグループに少なくとも部分的に基づいてランダムアクセス応答のための周波数リソースを決定するための手段
をさらに備える、Ｃ７６に記載の装置。
[Ｃ７８]  前記ランダムアクセスグループが、前記ランダムアクセス応答に関連する制御情報を示し、決定された周波数リソースが制御メッセージを備える、Ｃ７７に記載の装置。
[Ｃ７９]  前記ランダムアクセスグループが、前記ランダムアクセス応答に関連する制御情報およびデータ情報を示し、決定された周波数リソースが、制御メッセージまたはデータメッセージ、あるいは両方を備える、Ｃ７７に記載の装置。
[Ｃ８０]  前記選択されたランダムアクセスグループに少なくとも部分的に基づいてランダムアクセス無線ネットワーク一時識別子（ＲＡ−ＲＮＴＩ）を決定するための手段
をさらに備える、Ｃ７６に記載の装置。
[Ｃ８１]  物理ランダムアクセスチャネル（ＰＲＡＣＨ）構成のセットを示すシグナリングを送信するための手段と、ここにおいて、前記セットの各ＰＲＡＣＨ構成が、サポートされるカバレージ拡張レベルに対応する、
ＰＲＡＣＨ構成の前記セットのＰＲＡＣＨ構成に従ってランダムアクセスメッセージを受信するための手段と
を備える、ワイヤレス通信のための装置。
[Ｃ８２]  １つまたは複数のカバレージ限定しきい値を示すシグナリングを送信するための手段、ここにおいて、前記ランダムアクセスメッセージが、前記シグナリングに少なくとも部分的に基づいて受信される、
をさらに備える、Ｃ８１に記載の装置。
[Ｃ８３]  前記ランダムアクセスメッセージに少なくとも部分的に基づいてランダムアクセス応答を送信するための手段
をさらに備える、Ｃ８１に記載の装置。
[Ｃ８４]  １つまたは複数のさらなる応答メッセージについて監視し続けるためのランダムアクセス応答中の指示を送信するための手段
をさらに備える、Ｃ８１に記載の装置。
[Ｃ８５]  ＣＥレベルを示すシグナリングを送信するための手段、ここにおいて、前記ランダムアクセスメッセージを受信するための前記手段が、前記ＣＥレベルに少なくとも部分的に基づいて動作可能である、
をさらに備える、Ｃ８１に記載の装置。
[Ｃ８６]  ダウンリンク（ＤＬ）カバレージ拡張（ＣＥ）レベルとランダムアクセスグループとの間のマッピングを示すシグナリングを送信するための手段と、
前記ランダムアクセスグループに少なくとも部分的に基づいてランダムアクセスメッセージを受信するための手段と、
受信されたランダムアクセスメッセージの前記ランダムアクセスグループに少なくとも部分的に基づいてＤＬ  ＣＥレベルを決定するための手段と
を備える、ワイヤレス通信のための装置。